(57)【特許請求の範囲】
【請求項１】
カード／トレイを収容する構造を有する電子装置使用のためのカードソケットであって、
ハウジングであって、該ハウジングの前端から後端まで延在する基部を有し、該基部は前記後端の近傍に設けられた貫通孔を有し、前記ハウジングは、前記基部の上側、かつ、前記前端と後端との間に挿入スペースを画定し、該挿入スペースは、前記カード／トレイを前記前端を通して内部に収容するように形成されるとともに前記前端から後端へ向かう第１の方向を画定し、それにより、前記カード／トレイが挿入スペースに挿入され、かつ、挿入スペースから取出される、ハウジングと、
該ハウジングに動作的に結合されたカード挿入確認端子アセンブリと、を備え、
該カード挿入確認端子アセンブリは、
スイッチ固定部及びスイッチ接触部を有するスイッチ端子であって、前記スイッチ固定部は、前記ハウジングの後端又は該後端の近傍で前記ハウジングに固定され、前記スイッチ接触部は、前記スイッチ固定部から延在する、スイッチ端子と、
検出固定部、検出カンチレバー部及び押圧ガイド部を有する検出端子であって、前記検出固定部は、前記ハウジングの後端又は該後端の近傍で前記ハウジングに固定され、前記検出カンチレバー部は、前記挿入スペースの後部内に位置し、前記検出カンチレバー部は、該検出カンチレバー部の自由端が画定されるように前記検出固定部から第２の方向にカンチレバー様に延在し、前記第２の方向は前記第１の方向と交差し、前記検出カンチレバー部の自由端は前記スイッチ接触部と接触するように配置され、前記押圧ガイド部は、前記ハウジングの前端に向かって前向き、かつ、前記貫通孔に向かって下向きに延在し、前記押圧ガイド部は、前記検出カンチレバー部の自由端から遠くに離れて位置する、検出端子とを備え、
前記カード／トレイは、前記挿入スペースに挿入されると、前記押圧ガイド部に接触して最初に前記カード挿入確認端子アセンブリに接触し、前記挿入スペースに更に挿入されると、前記押圧ガイド部を前記貫通孔に向かって下向きに押圧し、前記挿入スペースに全部が挿入されると、前記検出カンチレバー部の自由端をスイッチ接触部に接触させるか、又は、前記検出カンチレバー部の自由端のスイッチ接触部との接触を解除させる、カードソケット。
【請求項２】
前記検出カンチレバー部は、接続面と、第１及び第２の傾斜面とを有し、前記接続面は前記検出固定部に接続され、前記第１の傾斜面は、前記接続面から第２の傾斜面まで下向きに傾斜し、前記第２の傾斜面は、前記第１の傾斜面から自由端まで上向きに傾斜し、前記押圧ガイド部は、前記第２の傾斜面から前向き、かつ、下向きに延在する、請求項１に記載のカードソケット。
【請求項３】
前記スイッチ接触部は、前記検出カンチレバー部の第２の傾斜面の下方に位置し、前記カード／トレイは、前記挿入スペースに全部が挿入されると、前記検出カンチレバー部の自由端をスイッチ接触部に接触させる、請求項２に記載のカードソケット。
【請求項４】
前記ハウジングは、前記挿入スペース内に延在するキャッチリップを有し、該キャッチリップは、前記検出カンチレバー部の自由端の上向きの動きを防止するように形成される、請求項３に記載のカードソケット。
【請求項５】
前記スイッチ接触部は、前記検出カンチレバー部の第２の傾斜面の上方に位置し、前記カード／トレイは、前記挿入スペースに全部が挿入されると、前記検出カンチレバー部の自由端のスイッチ接触部との接触を解除させる、請求項２に記載のカードソケット。
【請求項６】
前記検出カンチレバー部の自由端に検出接触部が設けられ、該検出接触部は、前記第２の傾斜面から上向き、かつ、後向きに延在する、請求項５に記載のカードソケット。
【請求項７】
前記スイッチ接触部は、前記スイッチ固定部から下向き、かつ、前向きに延在する、請求項６に記載のカードソケット。
【請求項８】
前記検出端子が下向きに押圧されると前記検出接触部と前記スイッチ接触部との間に摩擦ゾーンが形成され、それにより、前記検出接触部及び／又はスイッチ接触部上に形成された不純物又は酸化物の膜が除去される、請求項７に記載のカードソケット。
【請求項９】
前記検出端子が下向きに押圧されると、前記検出接触部とスイッチ接触部との間の傾斜ゾーンの動きによって生じるスイッチ端子の摩擦ポテンシャルが、前記スイッチ接触部の傾斜面に沿った検出接触部の動きに起因する押圧ポテンシャルを上回る、請求項８に記載のカードソケット。
【請求項１０】
前記検出接触部の上向き傾斜角度は前記スイッチ接触部の下向き傾斜角度より大きく、これにより、前記検出接触部の角が前記スイッチ接触部の傾斜面を擦る、請求項８に記載のカードソケット。
【請求項１１】
前記検出接触部の上向き傾斜角度は前記スイッチ接触部の下向き傾斜角度より小さく、これにより、前記スイッチ接触部の角が前記検出接触部の傾斜面に摩擦接触する、請求項８に記載のカードソケット。
【請求項１２】
前記押圧ガイド部は、前記接続面の下方に位置する、請求項２に記載のカードソケット。
【請求項１３】
前記押圧ガイド部の高さは、前記ハウジングの基部の厚さより小さな値である、請求項１に記載のカードソケット。
【発明の詳細な説明】
【技術分野】
【０００１】
本発明は、電子装置で用いるためのカードソケットに関し、より具体的には、端子間接触部に摩擦ゾーンを形成することにより酸化膜または不純物等を除去することによって、信頼性の高い導電性能を確実にすることができ、またカードまたはトレイがカードソケット内に完全に挿入されたかを判断するカード挿入確認端子の構造の変更を通して、カードまたはトレイ挿入の安定性を改善することができる、電子装置で用いるためのカードソケットに関する。
【背景技術】
【０００２】
多様な利用者の個人情報等、例えば利用者の電話番号を記憶しているさまざまなカード（メモリカード／ＳＩＭカード）が、携帯電話等の電子装置で用いられる。カード挿入の形式は、カード単体を挿入すること、および別個のトレイ上に載せたカードを挿入することを含む。
【０００３】
これらのタイプのカードソケットでは、カードまたはトレイが完全に挿入されたときを検知するカード挿入確認端子が備え付けられる。概して、カード挿入確認端子は、カード／トレイが挿入されるとカード／トレイの前端と接触する検出端子と、カード／トレイが完全に挿入されると後方に押圧されて検出端子に接触するスイッチ端子とで構成される。
【０００４】
韓国登録特許第１２２８８３７号（以下、「特許文献１」と称する）および米国特許第７，８６５，２１０号（以下、「特許文献２」と称する）に、この構成を有するカード挿入認識端子構造が開示されている。
【０００５】
特許文献は概して、カード／トレイが挿入されると、検出端子が後方に押圧され、その後スイッチ端子と接触するように構成される。検出端子は、カード／トレイの挿入時に後方に押圧された後にカード／トレイが引き出されると、元の状態に戻るような内部弾性を有する。
【０００６】
同様に、特許文献のケースでは、検出端子が、カード／トレイが挿入されたときに後方に押圧する内部弾性を有しているため、検出端子によって、カード／トレイに対して力が引き出す方向に向かって継続的に与えられる。このように、カード／トレイとセットとの間には、カード／トレイが外側に向かって突出することに起因して、外側が一致しない危険がある。
【０００７】
加えて、検出端子とスイッチ端子の接触部との間に不純物等が侵入するかまたは酸化膜が形成されることに起因して、接地不良が発生し、信頼性の低い導電性に至る問題がある。
【先行技術文献】
【特許文献】
【０００８】
【特許文献１】韓国登録特許公報第１２２８８３７号（２０１３年０２月１５日発行）
【特許文献２】米国登録特許第７，８６５，２１０号（２０１１年１月０４日付与）
【発明の概要】
【発明が解決しようとする課題】
【０００９】
上述の先行技術の問題に対処するためになされた本発明の目的は、カード／トレイ挿入安定性を向上させることができる電子装置で用いるためのカードソケットを提供することである。
【００１０】
加えて、本発明の別の目的は、ソケットの端子間接触部上に摩擦ゾーンを形成することによって酸化膜または不純物を除去することができる、電子装置使用のためのカードソケットに関する。
【課題を解決するための手段】
【００１１】
本発明の好ましい実施形態１による、電子装置使用のためのカードソケットは、カード／トレイが挿入されるとカード／トレイによって下向きに押圧される、ハウジングの挿入スペースに備え付けられた検出端子と、検出端子に接触するように、ハウジング内の検出端子の下に備え付けられたスイッチ端子とを備える、固定部であって、検出端子は、ハウジングに固定されている、固定部と、固定部に接続され、ハウジングの挿入スペース内部に位置し、スイッチ端子に接触している間下向きに押圧されるようにカード／トレイに接触する、押圧部と、を備え、カード／トレイに接触する押圧部の部分は、固定部に接続され、カンチレバー様に動く部分の下に位置するか、あるいはカード／トレイに接触する部分の高さは、ハウジングの床の厚さ以下であるように形成される。
【００１２】
加えて、検出端子は、ハウジングの後端に固定された部分である第１のハウジング固定部と、内部弾性を有し、ハウジングの挿入スペースの後部において両側に延びる高さで設置され、第１の端が第１のハウジング固定部に接続され、一方で第２の端がスイッチ端子に接続され、それにより押圧部を構成する、第１の接触部と、第１の接触部の第２の端から離間した場所で、前部が下向きに傾斜するように形成され、それにより、挿入されたカード／トレイが、傾斜面に沿って摺動して第１の接触部を押圧するようにガイドされて、押圧部を構成する、押圧ガイド部と、を備える。
【００１３】
加えて、カード／トレイが、押圧ガイド部に沿って摺動しながら第１の接触部に押し進められると、第１の接触部は、斜め方向に向かって下向きに押圧されるとともに第２の端に接近する。
【００１４】
加えて、第１の接触部は、第１のハウジング固定部に接続された接続面と、接続面から下向きに傾斜して曲げられた下向き傾斜面と、下向き傾斜面から上向きに曲げられた上向き傾斜面と、を備えてもよい。
【００１５】
加えて、スイッチ端子は、ハウジングに固定された第２のハウジング固定部と、第２のハウジング固定部から上向きに曲げられた第２の接触部と、を備えてもよい。
【００１６】
加えて、カード／トレイが誤って挿入されたときに、第１の接触部の第２の端の上部が滑落することを防止し、それによって第１の接触部と第２の接触部との間に一定の間隔が維持されるようにするキャッチリップが、ハウジングの挿入スペースの底面に形成される。
【００１７】
加えて、押圧ガイド部の端がハウジングの底面の下の位置に押圧される場合、ＰＣＢに接触し、それによってＰＣＢが破損する危険があるため、これを防止するために、カード／トレイに接触させられる押圧ガイド部の位置は、カンチレバー様に動く固定点、すなわち第１のハウジング固定部に接続された第１の接触部の一部の下にあるか、または代替的に、押圧ガイド部が、ハウジングのベース面の厚さ未満である高さを有するように形成される。
【００１８】
本発明の好ましい実施形態２による、電子装置使用のためのカードソケットは、ハウジングの挿入スペースの内側に設置され、カード／トレイが挿入スペースに挿入されるとカード／トレイによって下向きに押圧される検出端子と、ハウジングの挿入スペース内の検出端子の上部に設置され、それによって、検出端子が下向きに押圧されると検出端子との接触が解除されるようにされたスイッチ端子と、を備え得る。
【００１９】
加えて、検出端子上で、カード／トレイによって押圧される押圧部の端に、第１の接触部が、後部に向かって上向きに傾斜して形成され、スイッチ端子上で、第２の接触部が、前部に向かって下向きに傾斜して形成されて、第１の接触部に接触させられ、検出端子が下向きに押圧されると、第１の接触部と第２の接触部との間に摩擦ゾーンが形成され、それによって、第１の接触部および第２の接触部上に形成された不純物または酸化膜を除去し得るようにする。
【００２０】
加えて、検出端子が下向きに押圧されると、第１の接触部と第２の接触部との間の傾斜ゾーン移動によって生じるスイッチ端子との摩擦電位は、第２の接触部の傾斜面に沿った第１の接触部の移動に起因して、検出端子の押圧電位を上回ってもよい。
【００２１】
加えて、第１の接触部の上向き傾斜角度は、第２の接触部の下向き傾斜角度を上回って形成されてもよく、それによって、第１の接触部の角が第２の接触部の傾斜面と擦れ合う。
【００２２】
加えて、第１の接触部の上向き傾斜角度は、第２の接触部の下向き傾斜角度よりも小さく形成されてもよく、それによって、第２の接触部の角が第１の接触部の傾斜面に摩擦接触する。
【発明の効果】
【００２３】
本発明による電子装置で用いるためのカードソケットから、以下の効果が予想され得る。
【００２４】
第１に、本発明では、カード／トレイが挿入されたときに、検出端子がカード／トレイによって下向きに押圧されるとスイッチ端子に接触するように構成されるため、力が厚さ方向、すなわちカード／トレイが、各々弾性を有する検出端子およびスイッチ端子によって上向きに持ち上げられる方向に作用する。したがって、カード／トレイは、引き出し方向への力を受けないため、カード／トレイとセットとの間で外側が一致しない危険がなく、また押込み挿入する方法は、ハウジングを覆う金属シェルとの摩擦力を高めるため、向上した挿入安定性が達成される。
【００２５】
第２に、本発明では、検出端子およびスイッチ端子との接触の安定性は、カード／トレイの厚さが増大したとしても維持され得るが、これは、第１の接触部が、検出端子を構成する押圧ガイド部によって容易に押圧され得るためであり、またスイッチ端子との接触領域が、既存の検出端子と比べて増大し、そしてスイッチ端子に接触する部分よりも、端に向かってさらに離れた場所でスイッチ端子に接触する第１の接触部の一部を形成し得るためである。
【００２６】
第３に、本発明では、検出端子の第１の接触部が、水平状態に保たれ、そしてハウジング上に形成されたキャッチリップによってスイッチ端子の第２の接触部との一定の間隔を維持するため、検出端子とスイッチ端子との間での短絡の発生が大幅に削減され得る。
【００２７】
第４に、本発明では、カード／トレイが挿入されたときに、検出端子およびカード端子がカード／トレイの下に位置するため、カードソケット全体のサイズを、従来技術のカードソケットと比べて縮小させることができ、ここで、検出端子およびスイッチ端子は、カード／トレイの前に位置する。
【００２８】
第５に、本発明では、検出端子およびスイッチ端子の接触部間の不純物または酸化膜に起因する導電性不良が存在したとしても、信頼性の高い導電性を確実にすることによって、接地不良の発生を防止することができるが、これは、端子の角が、検出端子およびスイッチ端子の接触部上の傾斜ゾーンの形成に起因して、接触面をスクラッチするように構成されるためである。
【００２９】
第６に、本発明は、摩擦が発生する領域を最大限にすることによって、導電性の安定性を改善し得るが、これは、検出端子が下向きに押圧されると、検出端子の第１の接触部がスイッチ端子の第２の接触部に沿って動くため、第１の接触部５３０と第２の接触部６２０との間の移動に起因するスイッチ端子６００との接触電位が、検出端子５００の圧力電位を上回るためである。
【図面の簡単な説明】
【００３０】
【図１】カード／トレイがその内部に挿入されたときの、本発明の好ましい実施形態１による電子装置で用いるためのカードソケットを示す斜視図である。
【図２】ハウジングに備え付けられた検出端子およびスイッチ端子の斜視図である。
【図３】検出端子とスイッチ端子との間の一定に保持された間隙を示す斜視図である。
【図４】検出端子の斜視図を示す。
【図５】スイッチ端子の斜視図を示す。
【図６】カード／トレイ挿入の前の、検出端子の第１の接触部とスイッチ端子の第２の接触部との間の間隙が一定に保持されている図を示す。
【図７】カード／トレイ挿入中に、第１の接触部および第２の接触部が接触する図を示す。
【図８】ハウジングと検出端子との間のバランスを示す断面図である。
【図９】検出端子の異なる実施の斜視図を示す。
【図１０】本発明の好ましい実施形態２による、ハウジング上に備え付けられた検出端子およびスイッチ端子を有する、電子装置で用いるためのカードソケットを示す斜視図である。
【図１１】検出端子の斜視図である。
【図１２】スイッチ端子の斜視図である。
【図１３】カード／トレイ挿入に起因して、検出端子とスイッチ端子との間の接触が断たれた状態の断面図である。
【図１４】検出端子の異なる実施の斜視図である。
【図１５】検出端子およびスイッチ端子の接触部上に摩擦ゾーンを形成するための検出端子が組み付けられた状態を示す断面図である。
【図１６】検出端子が下向きに押圧されたときの、検出端子の縁とスイッチ端子の傾斜面との擦れ合いを示す断面図である。
【図１７】検出端子およびスイッチ端子の接触部の傾斜角度に応じた、検出端子とスイッチ端子との間の摩擦接触ゾーンを示す断面図である。
【発明を実施するための形態】
【００３１】
以下において、添付の図面を参照して、電子装置使用のためのカードソケットの好ましい実施形態が詳細に説明される。
【００３２】
図１は、カード／トレイがその内部に挿入されたときの、本発明の好ましい実施形態１による電子装置で用いるためのカードソケットを示す斜視図である。図１は、ハウジングを覆う金属シェルが省略された図であることに留意すべきである。
【００３３】
カードソケットを構成するハウジング１００は、カード／トレイ１が挿入される前端と、上部に向かって開口し、金属シェルによって覆われた挿入スペース１１０とを有する。挿入スペース１１０の基底面上には、カードに接触する接触端子２００が備え付けられ、挿入スペース１１０の後ろ部分には、カード／トレイ１が挿入スペース１１０の後部に挿入された時を検出するカード挿入確認端子として、検出端子３００およびスイッチ端子４００が備え付けられる。
【００３４】
図２は、ハウジングに備え付けられた検出端子およびスイッチ端子の斜視図であり、図３は、検出端子とスイッチ端子との間の一定に保持された間隙を示す斜視図であり、図４は、検出端子の斜視図を示し、図５は、スイッチ端子の斜視図を示す。
【００３５】
ハウジング１００の挿入スペース１１０の後ろ部分には、カード／トレイ１が挿入されたことを検出するカード挿入確認端子として、検出端子３００およびスイッチ端子４００が上下に備え付けられる。
【００３６】
カード／トレイ１が挿入スペース１１０に挿入されると、カード／トレイ１は、検出端子３００を下向きに押圧してスイッチ端子４００に接触し、それによって、カード／トレイ１が挿入スペース１１０に挿入されたことが認識される。したがって、検出端子３００およびスイッチ端子４００が垂直方向に接触するため、カード／トレイ１は、検出端子３００に起因して引き出し方向へのいかなる力によっても影響されず、そのため、カード／トレイ１とセットとの間の外側が一致しない危険がない。
【００３７】
言い換えると、検出端子３００およびスイッチ端子４００が接触した場合、カード／トレイ１が挿入されていないかまたは十分には挿入されていないと認識されることがあり、検出端子３００およびスイッチ端子４００が接触しておらず離されている場合、カード／トレイ１が挿入スペース１１０に完全かつ十分に挿入されたと認識され得る。
【００３８】
検出端子３００は、弾性を有しているため、カード／トレイ１によって弾性的に押圧され、スイッチ端子４００もまた、弾性を有しているため、検出端子３００に弾性的に接続される。
【００３９】
検出端子３００は、第１のハウジング固定部３１０と、第１の接触部３２０と、押圧ガイド部３３０とを備える。
【００４０】
第１のハウジング固定部３１０は、ハウジング１００の後端に形成された挿入凹部（図示せず）に挿入されることによって固定されてもよいが、これに限定されず、成型によってハウジング１００と一体成形されてもよい。
【００４１】
第１の接触部３２０は、挿入スペース１１０の後部の両側に延びて設置され、弾性を有し、第１の端は、第１のハウジング固定部３１０と一体的に接続され、一方で第２の端は、スイッチ端子４００に接続する。この第１の接触部３２０は、第１のハウジング固定部３１０と一体的に接続する接続面３２１と、接続面３２１から下向きの傾斜で曲げられた下向き傾斜面３２２と、下向き傾斜面３２２から上向きに傾斜して曲げられた上向き傾斜面３２３とを備える。上向き傾斜面３２３の端は、スイッチ端子４００に接触する。
【００４２】
押圧ガイド部３３０は、上向き傾斜面３２３の端から離れて設定された場所の前部で、すなわち第１の接触部３２０の遠位端で、下向きに傾斜して形成され、それによって、挿入スペース１１０に挿入されたカード／トレイ１を案内して、傾斜面に沿って摺動するにしたがって第１の接触部３２０を推し進める。
【００４３】
スイッチ端子４００は、第２のハウジング固定部４１０および第２の接触部４２０を備える。
【００４４】
第２のハウジング固定部４１０は、成型によってハウジング１００と一体成形されてもよい。
【００４５】
第２の接触部４２０は、第２のハウジング固定部４１０から上向きの傾斜で曲げられ、それによって内部弾性を有する。第２の接触部４２０の端は、検出端子３００に接続される。
【００４６】
挿入スペース１１０の底面には、第２の接触部４２０が位置し、垂直方向に貫通して垂直な弾性変形を可能にする貫通部１２０が形成される。第２の接触部４２０に接続された第２のハウジング固定部４１０の一部もまた、貫通部１２０に位置する。
【００４７】
挿入スペース１１０の後面には、キャッチリップ１３０が外向きに突出して形成され、カード／トレイ１が誤って挿入されたときに、検出端子３００の第１の接触部３２０が上向きに持ち上げられることを防止し、それによって、第１の接触部３２０とスイッチ端子４００の第２の接触部４２０との間の間隙が一定に保たれる。
【００４８】
キャッチリップ１３０で検出端子３００の第１の接触部３２０を捕らえる前は、第１の接触部３２０は、図２に示されるように上向きに傾斜して形成され、その後第１の接触部３２０は、図３に示されるようにキャッチリップ１３０に捕らえられると、第１の接触部３２０が、水平状態を維持して第２の接触部４２０との一定の間隔を保つように押圧される。したがって、検出端子３００とスイッチ端子４００との間の短絡事象が大幅に低減され得る。
【００４９】
図６は、カード／トレイ挿入の前の、検出端子の第１の接触部とスイッチ端子の第２の接触部との間の間隙が一定に保持されている図を示し、図７は、カード／トレイ挿入中に、第１の接触部および第２の接触部が接触する図を示す。
【００５０】
上述されるように、第１の接触部３２０のキャッチリップ１３０に捕らえられている間、第１の接触部３２０は、図６に示されるように、水平状態を維持しながら第２の接触部４２０との一定の間隙を維持する。この場合、第２の接触部４２０は、上向きに傾斜する。
【００５１】
カード／トレイ１が挿入されて第１の接触部３２０を押圧すると、図７に示されるように、その後第１の接触部３２０は押圧されて下向きに傾斜し、さらに第１の接触部３２０の端および第２の接触部４２０の端が互いに接触するように押圧される。最後に、第１の接触部３２０は、押圧されると下向きに傾いて第２の接触部４２０が水平状態になり、２つの接触部３２０、４２０の端が互いに接触する。
【００５２】
図６に示されるように、第１の接触部３２０がカード／トレイ１によって押圧される前に、第１の接触部３２０から下向きかつ前方に傾斜して形成された押圧ガイド部３３０の端は、第１の接触部３２０よりも下方の場所に位置する。したがって、カード／トレイ１が挿入されると、カード／トレイ１は、押圧ガイド部３３０の上方傾斜面に沿って摺動しながら第１の接触部３２０を間接的に押圧し、加えて、挿入されると、第１の接触部３２０の上面に直接接触し、同時に第１の接触部３２０を直接押圧する。
【００５３】
第１の接触部３２０は、カード／トレイ１によって押圧されると、斜め方向に向かって下向きに押圧され、このようにして、端接触部はカード／トレイ１と接触しない。
【００５４】
カード／トレイ１と直接接触することなくスイッチ端子４００に接触する第１の接触部３２０の一部が、カード／トレイ１に直接接触する部分に向かってさらに遠くに形成されるため、第１の接触部３２０がカード／トレイ１によって押圧されると、スイッチ端子４００に接触する部分は、（Ａ＋α）よりもはるかに多く動く。したがって、検出端子３００が押圧される距離が、カード／トレイ１の厚さに起因して比較的低減されたとしても、スイッチ端子４００との接触領域が、従来技術の検出端子に比べて増大するため、第１の接触部３２０と第２の接触部４２０との間の接触の安定性が維持され得る。
【００５５】
図８は、ハウジングと検出端子との間のバランスを示す断面図である。
【００５６】
検出端子３００を形成する押圧ガイド部３３０は、ハウジング１００の挿入スペースの基底面に形成された貫通部１２０内部に位置する。したがって、検出端子３００がカード／トレイ１の挿入によって押圧されると、押圧された部分、すなわち押圧ガイド部３３０を、貫通部１２０内部で下降させる。この場合、前記押圧ガイド部３３０の端は、ハウジング１００の底面下の位置まで押圧されると、ＰＣＢに接触し、それによってＰＣＢが破損する危険があるため、これを防止するために、カード／トレイ１に接触する部分の位置は、カンチレバー様に動く所定の点より下、すなわち第１の接触部３２０の接続面３２１より下であり、または代替的に、押圧ガイド部３３０は、好ましくはハウジング１００のベース面の厚さ（Ｈ２）以下である高さ（Ｈ１）を有するように形成されてもよい。
【００５７】
図９は、検出端子の異なる実施の斜視図を示す。
【００５８】
検出端子３００を構成する第１の接触部３２０は、１回曲げられた形状を有する。言い換えると、第１の接触部３２０は、第１のハウジング固定部３１０と一体的に接続された接続面３２１と、接続面３２１から下向きに傾斜して曲げられた下向き傾斜面３２２とで構成されてもよい。
【００５９】
検出端子３００の形状は、多様に形成され得る。
【００６０】
図１０は、本発明の好ましい実施形態２による、ハウジング上に備え付けられた検出端子およびスイッチ端子を有する、電子装置で用いるためのカードソケットを示す斜視図であり、図１１は、検出端子の斜視図であり、図１２は、スイッチ端子の斜視図である。
【００６１】
図１０〜１２に示されるように、本発明の好ましい実施形態２による、電子装置で用いるためのカードソケットは、上下にスイッチ端子５００および検出端子６００が備え付けられてもよく、これらは、カード／トレイ１がハウジング１００の挿入スペース１１０の後ろ部分に挿入された時を検知するカード挿入確認端子を構成する。
【００６２】
カード／トレイ１が挿入スペース１１０に挿入されると、カード／トレイ１は、検出端子５００を下向きに押圧してスイッチ端子６００との接触を絶ち、それによって、カード／トレイ１が挿入スペース１１０に挿入されたことが認識される。結果として、検出端子５００およびスイッチ端子６００が垂直に接触するため、カード／トレイ１は、検出端子５００に起因して引き出し方向へのいかなる力によっても影響されず、そのため、カード／トレイ１とセットとの間の外側が一致しない危険がない。
【００６３】
言い換えると、検出端子５００およびスイッチ端子６００が接触した場合、カード／トレイ１が挿入されていないかまたは十分には挿入されていないと認識されることがあり、検出端子５００およびスイッチ端子６００が接触しておらず離されている場合、カード／トレイ１が挿入スペース１１０に完全かつ十分に挿入されたと認識され得る。
【００６４】
検出端子５００は弾性を有し、そのため、カード／トレイ１がハウジング１００の挿入スペース１１０に挿入されると、カード／トレイ１によって下向きに弾性的に押圧される。
【００６５】
検出端子５００は、第１のハウジング固定部５１０と、板ばね部５２０と、第１の接触部５３０と、押圧ガイド部５４０とを備え得る。
【００６６】
第１のハウジング固定部５１０は、ハウジング１００の後端に形成された挿入凹部（図示せず）に挿入されることによって固定され得るが、これに限定されず、成型によってハウジング１００と一体成形されてもよい。
【００６７】
板ばね部５２０は、カード／トレイ１によって押圧される押圧部であり、ハウジング１００の挿入スペース１１０の後部で両方向に延びて設置され、内部弾性を有する。板ばね部５２０の第１の端は、第１のハウジング固定部５１０と一体的に接続され、一方で以下に説明される第１の接触部５３０は、第２の端に形成されて、スイッチ端子６００に接続される。この板ばね部５２０は、第１のハウジング固定部５１０と一体的に接続する接続面５２１と、接続面５２１から下向きの傾斜で曲げられた下向き傾斜面５２２と、下向き傾斜面５２２から上向きに傾斜して曲げられた上向き傾斜面５２３とを備え得る。
【００６８】
第１の接触部５３０は、板ばね部５２０の第２の端に、すなわち上向き傾斜面５２３の端に、後方に向かって上向き方向で曲げて形成され、以下に説明するスイッチ端子６００の第２の接触部６２０と接触する。
【００６９】
押圧ガイド部５４０は、第１のハウジング固定部５１０の方向に向かって、上向き傾斜面５２３の端から離れて設定された場所の前部で、すなわち板ばね部５２０の第２の端で、下向きに傾斜して形成され、それによって、挿入スペース１１０に挿入されたカード／トレイ１を案内して、傾斜面に沿って摺動するにしたがって板ばね部５２０を推し進める。
【００７０】
スイッチ端子６００は、検出端子５００の上部に設置され、検出端子５００がカード／トレイ１によって下向きに押圧されると、検出端子５００との接触が絶たれる。
【００７１】
スイッチ端子６００は、第２のハウジング固定部６１０と、第２の接触部６２０とを備え得る。
【００７２】
第２のハウジング固定部６１０は、成型によってハウジング１００と一体成形されてもよいが、これに限定されず、ハウジング１００の後端に形成された挿入凹部（図示せず）に挿入されることによって固定されてもよい。
【００７３】
第２の接触部６２０は、第２のハウジング固定部６１０から下向きかつ前方に曲げて形成されて、検出端子５００の第１の接触部５３０に接触する。
【００７４】
挿入スペース１１０の底面には、検出端子５００の第１の接触部５３０および押圧ガイド部５４０が位置し、垂直方向に貫通して垂直な弾性変形を可能にする貫通部１２０が形成される。加えて、第１の接触部５３０および押圧ガイド部５４０に接続する板ばね部５２０の一部もまた、貫通部１２０に位置する。
【００７５】
検出端子５００を形成する押圧ガイド部５４０は、ハウジング１００の挿入スペース１１０の基底面に形成された貫通部１２０内部に位置する。したがって、検出端子５００がカード／トレイ１の挿入によって押圧されると、押圧された部分、すなわち押圧ガイド部５４０を、貫通部１２０内部で下降させる。この場合、前記押圧ガイド部５４０の端は、ハウジング１００の底面下の位置まで押圧されると、ＰＣＢに接触し、それによってＰＣＢが破損する危険があるため、これを防止するために、カード／トレイ１に接触する部分の位置は、カンチレバー様に動く所定の点より下、すなわち板ばね部５２０の接続面５２１より下であり、または代替的に、押圧ガイド部５４０は、好ましくはハウジング１００のベース面の厚さ以下である高さを有するように形成されてもよい。
【００７６】
図１３は、カード／トレイ挿入に起因して、検出端子とスイッチ端子との間の接触が断たれた状態の断面図である。
【００７７】
図１３（ａ）に示されるように、検出端子３００の第１の接触部５３０およびスイッチ端子４００の第２の接触部６２０の場合、カード／トレイ１が挿入されていないかまたは完全には挿入されていないと認識される。
【００７８】
図１３（ｂ）に示されるように、カード／トレイ１がハウジング１００の挿入スペース１１０に挿入されると、検出端子５００がカード／トレイ１によって押圧されて下向きに動かされる。具体的には、検出端子５００の板ばね部５２０がカード／トレイ１によって押圧される前に、板ばね部５２０から下向きかつ前方に傾斜して形成された押圧ガイド部５４０の端は、板ばね部５２０よりも下方の場所に位置する。したがって、カード／トレイ１が挿入されると、カード／トレイ１は、押圧ガイド部５４０の上方傾斜面に沿って摺動しながら板ばね部５２０を間接的に押圧し、加えて、挿入されると、板ばね部５２０の上面に直接接触し、同時に板ばね部５２０を直接押圧する。
【００７９】
カード／トレイ１の挿入によって、検出端子５００の左ばね部５２０が下向きに動くと、スイッチ端子６００の第２の接触部６２０と検出端子５００の第１の接触部５３０との接触が絶たれる。同様に、検出端子５００およびスイッチ端子６００が互いに接触していない場合、カード／トレイ１が挿入スペース１１０に完全かつ十分に挿入されたと認識される。
【００８０】
図１４は、検出端子の異なる実施の斜視図である。
【００８１】
図１４に示されるように、検出端子５００を構成する板ばね部５２０は、平坦なカンチレバー形状に構成されてもよい。言い換えると、板ばね部５２０は、曲げ部のない平線として形成されてもよいが、これに限定されず、検出端子５００の形状は、多様に形成され得る。
【００８２】
図１５は、検出端子およびスイッチ端子の接触部上に摩擦ゾーンを形成するための検出端子が組み付けられた状態を示す断面図であり、図１６は、検出端子が下向きに押圧されたときの、検出端子の縁とスイッチ端子の傾斜面との擦れ合いを示す断面図である。
【００８３】
図１５および１６に示されるように、検出端子５００がカード／トレイ１によって下向きに押圧されると、検出端子５００の第１の接触部５３０とスイッチ端子６００の第２の接触部６２０との間に摩擦ゾーンＷが形成され、それによって、検出端子５００およびスイッチ端子６００の接触部間の不純物または酸化膜に起因して導電性不良が存在したとしても、これらは除去されて、それによって信頼性の高い導電性を確実にすることによって、接地不良の発生を防止し得る。
【００８４】
具体的には、検出端子５００およびスイッチ端子６００の接触部上に傾斜ゾーンを構成することによって、端子の角が、擦れを発生させる接触面をスクラッチする。加えて、摩擦を生じさせる機構を確立するために、組み付け工程で検出端子５００にねじり力を与える必要がある。例えば、検出端子５００は、組み付け前の場所（１）でねじり力を発生させず、組み付け後の場所（２）で検出端子５００の回復トルクが発生する。具体的には、Ｘ方向における検出端子５００の初期組み付け前の場所と最終的な組み付け後の場所との間のＸ方向の差（ΔＸ）に起因して、Ｘ方向のトルクが発生し、検出端子５００のＺ方向の初期組み付け前の場所と最終的な組み付け後の場所との間のＺ方向の差（ΔＺ）に起因して、Ｚ方向のトルクが発生する。したがって、検出端子５００の回復トルクは、矢印方向（図１５の矢印を参照のこと）に発生する。検出端子５００がこのトルクによってＺ軸の方向に動かされたとしても、検出端子５００の第１の接触部５３０の角５３０ａがスイッチ端子６００の第２の接触部６２０の傾斜面６２０ｂに沿って動くことに起因して、検出端子５００およびスイッチ端子６００の接触部で摩擦が発生する。
【００８５】
加えて、摩擦が発生する面積を最大限にすることで、導電性の安定性を向上させ得るが、これは、検出端子５００が下向き方向（−Ｚ）に動くと、第１の接触部５３０の角５３０ａがスイッチ端子６００の第２の接触部６２０の傾斜面６２０ｂに沿って動くために、第１の接触部５３０と第２の接触部６２０との間の移動に起因するスイッチ端子６００との接触電位が検出端子５００の圧力電位を上回るためである。
【００８６】
図１７は、検出端子およびスイッチ端子の接触部の傾斜角度に応じた、検出端子とスイッチ端子との間の摩擦接触のゾーンを示す断面図である。
【００８７】
図１７（ａ）に示されるように、検出端子５００の第１の接触部５３０の上向き傾斜角度θ１を、スイッチ端子６００の第２の接触部６２０の下向き傾斜角度θ２を上回るように構成することによって、検出端子５００の第１の接触部５３０の角５３０ａを、スイッチ端子６００の第２の接触部６２０の傾斜面６２０ｂと擦れ合うようにさせてもよい。
【００８８】
加えて、図１７（ｂ）に示されるように、検出端子５００の第１の接触部５３０の上向き傾斜角度θ１を、スイッチ端子６００の第２の接触部６２０の下向き傾斜角度θ２未満になるように構成することによって、スイッチ端子６００の第２の接触部６２０の角６２０ａを、検出端子５００の第１の接触部５３０の傾斜面５３０ｂと擦れ合うようにさせてもよい。
【００８９】
以上において、本発明による電子装置で用いるためのカードソケットを、好ましい実施形態に基づいて説明してきたが、本発明は、いずれかの特定の実施形態に限定されず、関連分野の当業者においては、本発明の特許請求の範囲から逸脱することなく、多様な変更をなすことが可能である。
【図１】
0006435404.tif 000002
【図２】
0006435404.tif 000003
【図３】
0006435404.tif 000004
【図４】
0006435404.tif 000005
【図５】
0006435404.tif 000006
【図６】
0006435404.tif 000007
【図７】
0006435404.tif 000008
【図８】
0006435404.tif 000009
【図９】
0006435404.tif 000010
【図１０】
0006435404.tif 000011
【図１１】
0006435404.tif 000012
【図１２】
0006435404.tif 000013
【図１３（ａ）】
0006435404.tif 000014
【図１３（ｂ）】
0006435404.tif 000015
【図１４】
0006435404.tif 000016
【図１５】
0006435404.tif 000017
【図１６】
0006435404.tif 000018
【図１７（ａ）】
0006435404.tif 000019
【図１７（ｂ）】
0006435404.tif 000020